(57)【要約】【課題】ユーザが購入した後でも、環境温度の変化に関わらずに暗電流の補正を行うことができ、ＡＦセンサの調整機能の一部を正確に実行可能な撮像装置及びカメラを提供することである。【解決手段】撮影時、撮影レンズ１１からの光束は、クイックリターンミラー３１で反射され、第２乃至第４ミラー７３〜７５等で反射されてアイピース３３に導かれる。第４ミラー７５は、アイピース３３からの外部光を遮光する可動ミラーで構成される。遮光検出スイッチ８０により第４ミラー７５が遮光位置にあることが検出されると、Ｂμｃｏｍ５０によってクイックリターンミラー３１が退避位置に移動されてＡＦセンサの暗電流が検出され、該ＡＦセンサからの出力に対し補正が行われる。【選択図】      図２
2006343489.tif 000002
【特許請求の範囲】
【請求項１】
撮影レンズと、
上記撮影レンズの光軸後方に配置され、上記撮影レンズからの被写体光束を受けて撮像を行う撮像素子と、
上記撮像レンズからの被写体光束が結像する結像面を観察する観察光学系と、
上記撮影レンズから入射する被写体光束を観察光学系へと反射する反射位置と、上記被写体光束を上記撮像素子へと導くため上記被写体光束から退避し、上記被写体光束の上記観察光学系への進入を遮断する退避位置と、に移動可能な可動反射ミラーと、
上記可動反射ミラーと上記結像面との間に配置されたＡＦセンサと、
上記可動反射ミラーの光軸後方及び上記結像面との間に配置され、上記被写体光束の一部を上記ＡＦセンサに導くハーフミラーと、
上記結像面と上記観察光学系との間に設けられ、外部から上記観察光学系を通過してくる外部光を遮光することが可能な遮光手段と、
上記遮光手段が遮光位置に位置したことを検出する遮光位置検出手段と、
上記ＡＦセンサからの暗電流データを不揮発性メモリに記憶可能な記憶手段と、
上記遮光位置検出手段からの出力があるときに上記可動反射ミラーを上記退避位置に駆動して上記ＡＦセンサからの暗電流データを上記不揮発性メモリに記憶するように制御する制御手段と、
を具備することを特徴とする撮像装置。
【請求項２】
撮影レンズと、
上記撮影レンズの光軸後方に配置され、上記撮影レンズからの被写体光束を受けて撮像を行う撮像素子と、
上記撮像レンズからの被写体光束が結像する結像面を観察する観察光学系と、
上記撮影レンズから入射する被写体光束を観察光学系へと反射する反射位置と、上記被写体光束を上記撮像素子へと導くため上記被写体光束から退避し、上記被写体光束の上記観察光学系への進入を遮断する退避位置と、に移動可能な可動反射ミラーと、
上記可動反射ミラーと上記結像面との間に配置されたＡＦセンサと、
上記可動反射ミラーの光軸後方及び上記結像面との間に配置され、上記被写体光束の一部を上記ＡＦセンサに導くハーフミラーと、
上記結像面と上記観察光学系との間に設けられ、外部から上記観察光学系を通過してくる外部光を遮光することが可能な遮光手段と、
上記遮光手段が遮光位置に位置したことを検出する遮光位置検出手段と、
上記遮光位置検出手段からの出力があるときに上記可動反射ミラーを上記退避位置に駆動し、上記ＡＦセンサの暗電流を検出し、上記可動反射ミラーの反射位置において該暗電流に基づいて上記ＡＦセンサからの出力に対し補正を行う制御手段と、
を具備することを特徴とする撮像装置。
【請求項３】
上記撮影レンズは交換レンズであり、この交換レンズを着脱可能であることを特徴とする請求項２に記載の撮像装置。
【請求項４】
上記制御手段は、セルフ撮影モード若しくはリモコン撮影モードに於いて、上記遮光位置検出手段からの出力があるときに上記可動反射ミラーを上記退避位置に駆動して上記ＡＦセンサの暗電流を検出し、上記ＡＦセンサからの出力に対し補正を行うことを特徴とする請求項２若しくは３に記載の撮像装置。
【請求項５】
被写体の光学像を結像する面を観察する観察光学系と、
上記光学像を電気信号に変換する光電変換素子と、
上記光電変換素子と上記観察光学系との間に配され、上記被写体からの光束を上記観察光学系に導く観察位置と、上記被写体からの光束を上記光電変換素子に導くと共に上記被写体からの光束の観察光学系への進入を遮断する退避位置とに移動可能な反射ミラーと、
上記反射ミラーと上記結像面との間に配置されたＡＦセンサと、
上記結像面と上記観察光学系との間に設けられるもので、上記観察光学系による観察を行う観察位置と、外部から上記観察光学系を通過してくる外部光を遮光する遮光位置とに切り替え可能な遮光手段と、
上記遮光手段が遮光位置にあることを検出する遮光位置検出手段と、
上記遮光位置検出手段からの出力があるときに上記反射ミラーを上記退避位置に駆動して上記ＡＦセンサの暗電流を検出し、上記ＡＦセンサからの出力に対し補正を行う制御手段と、
を具備することを特徴とするカメラ。
【請求項６】
上記制御手段は、セルフ撮影モード若しくはリモコン撮影モードに於いて、上記遮光位置検出手段からの出力があるときに上記反射ミラーを上記退避位置に駆動して上記ＡＦセンサの暗電流を検出し、上記ＡＦセンサからの出力に対し補正を行うことを特徴とする請求項５に記載のカメラ。
【請求項７】
上記可動反射ミラーの光軸後方及び上記結像面との間に配置され、上記被写体光束の一部を上記ＡＦセンサに導くハーフミラーを更に具備することを特徴とする請求項５に記載のカメラ。
【発明の詳細な説明】
【技術分野】
【０００１】
本発明は撮像装置に係り、より詳細には、ＣＣＤやＣＭＯＳの半導体撮像素子を利用した撮像装置の改良に関するものである。
【背景技術】
【０００２】
従来、ＴＴＬ式のファインダに関する技術としては、ダハブリズムを用いた一眼レフレックス（以下、単に一眼レフと略記する）式のものが一般的である。この一眼レフ式のカメラは、上下に回転駆動されるクイックリターンミラーを有しており、このクイックリターンミラーの下方にＡＦセンサユニットが配置されている。そして、シャッタ動作時にはクイックリターンミラーが上方に退避して撮影光束が撮像素子に導かれるようになっているが、ＡＦセンサユニットは露出されたままになっている。
【０００３】
ところで、ＡＦセンサのような光センサでは、暗黒中にあって僅かながら漏れ電流である暗電流が発生する。光センサを複数個配列したＡＦセンサの場合、こうした暗電流は個々に異なっている。そして、ある一定の光がＡＦセンサに入射された場合、上記暗電流がオフセットとして個々に重畳される。ＡＦセンサは、電流値の差によって被写体像のコントラストを決定するので、上述した暗電流の影響を大きく受けることになる。したがって、正しい被写体像のコントラストを求めるために、暗電流を相殺するような調整を製品の出荷時に行う必要があった。
【０００４】
こうした暗電流を対策するものとして、環境温度を検出し、温度による暗電流の変化を補正する技術が知られている（例えば、特許文献１参照）。
【特許文献１】特開２００３−１５０２２号公報
【発明の開示】
【発明が解決しようとする課題】
【０００５】
一般に暗電流は経年変化するものではないが、上記調整時とユーザの撮影時とで温湿度等の環境条件が異なることから調整値からずれていることがある。そのため、ユーザ側で、撮影等のカメラ使用時に暗電流の調整を行う必要が生じている。
【０００６】
しかしながら、上述した特許文献１に記載の技術では、工場出荷時の調整時点（調整温度）を技術とし、それに対して環境温度を測定して暗電流を補正しているので、急激な温度変化が生じた場合は対応できないという虞れがあった。
【０００７】
したがって本発明は、ユーザが購入した後でも、環境温度の変化に関わらずＡＦセンサの調整機能の一部を正確に実行可能な撮像装置及びカメラを提供することを目的とする。
【課題を解決するための手段】
【０００８】
すなわち請求項１に記載の発明は、撮影レンズと、上記撮影レンズの光軸後方に配置され、上記撮影レンズからの被写体光束を受けて撮像を行う撮像素子と、上記撮像レンズからの被写体光束が結像する結像面を観察する観察光学系と、上記撮影レンズから入射する被写体光束を観察光学系へと反射する反射位置と、上記被写体光束を上記撮像素子へと導くため上記被写体光束から退避し、上記被写体光束の上記観察光学系への進入を遮断する退避位置と、に移動可能な可動反射ミラーと、上記可動反射ミラーと上記結像面との間に配置されたＡＦセンサと、上記可動反射ミラーの光軸後方及び上記結像面との間に配置され、上記被写体光束の一部を上記ＡＦセンサに導くハーフミラーと、上記結像面と上記観察光学系との間に設けられ、外部から上記観察光学系を通過してくる外部光を遮光することが可能な遮光手段と、上記遮光手段が遮光位置に位置したことを検出する遮光位置検出手段と、上記ＡＦセンサからの暗電流データを不揮発性メモリに記憶可能な記憶手段と、上記遮光位置検出手段からの出力があるときに上記可動反射ミラーを上記退避位置に駆動して上記ＡＦセンサからの暗電流データを上記不揮発性メモリに記憶するように制御する制御手段と、を具備することを特徴とする。
【０００９】
請求項２に記載の発明は、撮影レンズと、上記撮影レンズの光軸後方に配置され、上記撮影レンズからの被写体光束を受けて撮像を行う撮像素子と、上記撮像レンズからの被写体光束が結像する結像面を観察する観察光学系と、上記撮影レンズから入射する被写体光束を観察光学系へと反射する反射位置と、上記被写体光束を上記撮像素子へと導くため上記被写体光束から退避し、上記被写体光束の上記観察光学系への進入を遮断する退避位置と、に移動可能な可動反射ミラーと、上記可動反射ミラーと上記結像面との間に配置されたＡＦセンサと、上記可動反射ミラーの光軸後方及び上記結像面との間に配置され、上記被写体光束の一部を上記ＡＦセンサに導くハーフミラーと、上記結像面と上記観察光学系との間に設けられ、外部から上記観察光学系を通過してくる外部光を遮光することが可能な遮光手段と、上記遮光手段が遮光位置に位置したことを検出する遮光位置検出手段と、上記遮光位置検出手段からの出力があるときに上記可動反射ミラーを上記退避位置に駆動し、上記ＡＦセンサの暗電流を検出し、上記可動反射ミラーの反射位置において該暗電流に基づいて上記ＡＦセンサからの出力に対し補正を行う制御手段と、を具備することを特徴とする。
【００１０】
請求項３に記載の発明は、請求項２に記載の発明に於いて、上記撮影レンズは交換レンズであり、この交換レンズを着脱可能であることを特徴とする。
【００１１】
請求項４に記載の発明は、請求項２若しくは３に記載の発明に於いて、上記制御手段は、セルフ撮影モード若しくはリモコン撮影モードに於いて、上記遮光位置検出手段からの出力があるときに上記可動反射ミラーを上記退避位置に駆動して上記ＡＦセンサの暗電流を検出し、上記ＡＦセンサからの出力に対し補正を行うことを特徴とする。
【００１２】
請求項５に記載の発明は、被写体の光学像を結像する面を観察する観察光学系と、上記光学像を電気信号に変換する光電変換素子と、上記光電変換素子と上記観察光学系との間に配され、上記被写体からの光束を上記観察光学系に導く観察位置と、上記被写体からの光束を上記光電変換素子に導くと共に上記被写体からの光束の観察光学系への進入を遮断する退避位置とに移動可能な反射ミラーと、上記反射ミラーと上記結像面との間に配置されたＡＦセンサと、上記結像面と上記観察光学系との間に設けられるもので、上記観察光学系による観察を行う観察位置と、外部から上記観察光学系を通過してくる外部光を遮光する遮光位置とに切り替え可能な遮光手段と、上記遮光手段が遮光位置にあることを検出する遮光位置検出手段と、上記遮光位置検出手段からの出力があるときに上記反射ミラーを上記退避位置に駆動して上記ＡＦセンサの暗電流を検出し、上記ＡＦセンサからの出力に対し補正を行う制御手段と、を具備することを特徴とする。
【００１３】
請求項６に記載の発明は、請求項５に記載の発明に於いて、上記制御手段は、セルフ撮影モード若しくはリモコン撮影モードに於いて、上記遮光位置検出手段からの出力があるときに上記反射ミラーを上記退避位置に駆動して上記ＡＦセンサの暗電流を検出し、上記ＡＦセンサからの出力に対し補正を行うことを特徴とする。
【００１４】
請求項７に記載の発明は、請求項５に記載の発明に於いて、上記可動反射ミラーの光軸後方及び上記結像面との間に配置され、上記被写体光束の一部を上記ＡＦセンサに導くハーフミラーを更に具備することを特徴とする。
【発明の効果】
【００１５】
本発明によれば、ユーザが購入した後でも、環境温度の変化に関わらずに暗電流の補正を行うことができ、ＡＦセンサの調整機能の一部を正確に実行可能な撮像装置及びカメラを提供することができる。
【発明を実施するための最良の形態】
【００１６】
以下、図面を参照して、本発明の実施形態を説明する。
【００１７】
（第１の実施形態）
図１は、本発明の第１の実施形態を示すもので、本発明の撮像装置が適用された一眼レフカメラの構成を示す外観斜視図である。
【００１８】
図１に於いて、この一眼レフカメラ（以下、カメラと略記する）１は、着脱可能な交換レンズとしてのレンズユニット１０と、カメラ本体としてのボディユニット３０から主に構成されており、ボディユニット３０の前面に対して、所望のレンズユニット１０が着脱自在に設定されている。  
ボディユニット３０の上面には、モードダイヤル２と、パワースイッチレバー３と、レリーズ釦５と、操作レバー９０等が設けられている。
【００１９】
モードダイヤル２は、撮影時の撮影モードを設定するための操作部材である。このモードダイヤル２が回転操作されることによって撮影時の撮影モードが設定される。パワースイッチレバー３は、当該カメラ１の電源のオン／オフをするための操作部材である。このパワースイッチレバー３が回動操作されることにより、当該カメラ１のメイン電源のオン／オフが切り換えられる。
【００２０】
レリーズ釦５は、撮影準備動作及び撮像動作を実行させるための釦である。このレリーズ釦は、第１レリーズスイッチと第２レリーズスイッチの２段式のスイッチで構成されており、レリーズ釦５が半押し操作されることによって第１レリーズスイッチがＯＮされて測光処理や測距処理等の撮影準備動作が実行される。また、レリーズ釦５が全押し操作されることによって第２レリーズスイッチがＯＮされて露光動作が実行される。
【００２１】
操作レバー９０は、本発明の特徴であるアイピースからの外部光を遮断するための遮光手段を操作するための部材である。尚、この操作レバーの詳細については後述する。
【００２２】
ボディユニット３０の背面部には、接眼光学系の接眼レンズ（アイピース）３３と、撮影画像やメニュー等を表示するための液晶モニタ４５等が配置されている。更に、ボディユニット３０の背面部には、このカメラ１を動作させるための各種の操作部材が配設されている。これらの操作部材については、本発明とは直接関連しない部分であるので、図面の煩雑化を避けるためにその説明は省略する。
【００２３】
図２は、本発明の第１の実施形態に係るカメラのシステム構成を示すブロック図である。
【００２４】
図２に於いて、上記レンズユニット１０は、上記ボディユニット３０の前面に設けられた、図示されないレンズマウントを介して着脱自在に装着可能である。そして、上記レンズユニット１０は、撮影レンズ１１と、絞り１２と、レンズ駆動機構１３と、絞り駆動機構１４と、レンズ制御用マイクロコンピュータ（以下、Ｌμｃｏｍと略記する）１５とから構成されている。
【００２５】
上記撮影レンズ１１は、レンズ駆動機構１３内に存在する図示されないＤＣモータによって、光軸方向に駆動される。絞り１２は、絞り駆動機構１４内に存在する図示されないステッピングモータによって駆動される。また、Ｌμｃｏｍ１５は、上記レンズ駆動機構１３や絞り駆動機構１４等、レンズユニット１０内の各部を駆動制御する。このＬμｃｏｍ１５は、通信コネクタ２０を介して、後述するボディ制御用マイクロコンピュータ５０と電気的に接続がなされ、該ボディ制御用マイクロコンピュータ５０の指令に従って制御される。
【００２６】
一方、ボディユニット３０は、以下のように構成されている。
【００２７】
レンズユニット１０内の撮影レンズ１１、絞り１２を介して入射される図示されない被写体からの光束は、第１ミラーとしてのクイックリターンミラー３１で反射され、第２ミラー７３、第３ミラー７４、第４ミラー７５等を含むファィンダ光学系（図３、図４参照、詳細は後述する）を介して、アイピース３３に至る。また、クイックリターンミラー３１で反射された被写体光束の一部は、後述するハーフミラー７１で更に反射されて自動測距を行うための焦点位置検出手段であるＡＦセンサユニット３５に導かれる。
【００２８】
上記クイックリターンミラー３１の後方には、フォーカルプレーン式のシャッタ３７と、ＣＣＤユニット４０を保護する透明な光学ローパスフィルタ３８と、光学系を通過した被写体像を光電変換するための撮像光学系の光電変換素子であるＣＣＤユニット４０が設けられている。つまり、クイックリターンミラー３１が被写体光束の光路より退避した場合、撮影レンズ１１及び絞り１２を通った光束は、ＣＣＤユニット４０の撮像面上に結像される。
【００２９】
尚、上記ＣＣＤユニット４０のＣＣＤの撮像範囲の長手方向とカメラ（ボディユニット３０）の長手方向は一致している。また、カメラシステムの撮影視野範囲の長手方向もカメラの長手方向と同一方向である。
【００３０】
このボディユニット３０は、画像処理を行うための画像処理コントローラ４６を有しており、この画像処理コントローラ４６には、ＣＣＤユニット４０に接続されたＣＣＤインターフェース回路４１と、記憶領域として設けられたＳＤＲＡＭ４２、ＦｌａｓｈＭｅｍｏｒｙ４３及び記録メディア４４と、液晶モニタ４５等が接続されている。これらは、電子撮像機能と共に電子記録表示機能を提供できるように構成されている。
【００３１】
上記記録メディア４４は、図示されないカメラのインターフェースを介してボディユニット３０に対し脱着可能な各種のメモリカードや外付けのハードディスクドライブ（ＨＤＤ）等の外部記録媒体である。
【００３２】
上記画像処理コントローラ４６は、測光回路５１を介した測光センサ５２と、ミラー駆動機構５４と、ＡＦセンサ駆動回路５５と、シャッタチャージ機構５６と、シャッタ制御回路５７と、不揮発性メモリ（ＥＥＰＲＯＭ）５８と、ストロボ制御回路６１を介したストロボ装置６２と、遮光検出スイッチ８０等と共に、このボディユニット５０内の各部を制御するためのボディ制御用マイクロコンピュータ（以下、Ｂμｃｏｍと略記する）５０に接続されている。
【００３３】
上記Ｂμｃｏｍ５０には、更に、当該カメラの動作状態を表示出力によって撮影者へ告知するための動作表示用ＬＣＤ６３と、カメラ操作スイッチ（ＳＷ）６４と、電源回路６５を介して電池６６とが接続されている。
【００３４】
尚、上記Ｂμｃｏｍ５０とＬμｃｏｍ１５とは、レンズユニット１０の装着時に於いて、通信コネクタ２０を介して通信可能に電気的接続がなされる。そして、デジタルカメラとしてＬμｃｏｍ１５がＢμｃｏｍ５０に従属的に協働しながら稼動するようになっている。
【００３５】
上記測光回路５１は、測光センサ５２の電気信号に基づいて測光処理する回路である。上記ミラー駆動機構５４はクイックリターンミラー３１を駆動制御する機構であり、ＡＦセンサ駆動回路５５は上記ＡＦセンサユニット３５を駆動制御するための回路である。
【００３６】
また、シャッタチャージ機構５６は、上記シャッタ３７の先幕と後幕を駆動するばねをチャージするものである。シャッタ制御回路５７は、上記シャッタ３７の先幕と後幕の動きを制御すると共に、Ｂμｃｏｍ５０との間でシャッタの開閉動作を制御する信号とストロボと同調する信号の授受を行う。
【００３７】
不揮発性メモリ５８は、上述したＳＤＲＡＭ４２、ＦｌａｓｈＭｅｍｏｒｙ４３、記録メディア４４以外の記憶領域として、カメラ制御に必要な所定の制御パラメータや、工場出荷時の個々の調整値を記憶する記憶手段であり、上記ＡＦセンサユニット３５の暗電流補正値も不揮発性メモリ５８に記憶される。不揮発性メモリ５８は、Ｂμｃｏｍ５０からアクセス可能に設けられている。
【００３８】
ストロボ装置６２は、図示されない閃光発光管を有して被写体に閃光を照射する閃光発光装置である。そして、ストロボ制御回路６１にて、ストロボ装置６２の閃光発光管の発光に必要な電荷の充電制御や、ストロボ装置６２の発光制御が行われる。このストロボ装置６２の詳細は後述する。
【００３９】
動作表示用ＬＣＤ６３は、当該カメラの動作状態を表示出力によってユーザへ告知するためのものである。上記カメラ操作スイッチ６４は切り替え手段として、例えば撮影動作の実行を指示すると共に後述するようにクイックリターンミラー３１を撮影光路の内外に切り替えるレリーズスイッチ、撮影モードと画像表示モードを切り替えるモード変更スイッチ及びパワースイッチ、等、当該カメラを操作するために必要な操作釦を含むスイッチ群で構成される。更に、電源回路６５は、電源としての電池６６の電圧を、当該カメラシステムの各回路ユニットが必要とする電圧に変換して供給するために設けられている。
【００４０】
上記遮光検出スイッチ８０は、アイピース３３の近傍に設けられて、該アイピース３３から入射する外光を遮断するための遮光手段としての第４ミラー７５が閉じられたか否かを検出するためのスイッチである。尚、この第４ミラー７５の動作の詳細については後述する。
【００４１】
次に、上述したファインダ光学系について、図３及び図４を参照して説明する。
【００４２】
図３及び図４は、第１の実施形態に於いてファインダ観察状態であってファインダ光学系及び閃光発光装置の主要構成部材をカメラボディに組み込んだ状態の配置を示したもので、図３は撮影レンズ側から見た正面図、図４はカメラボディの上面側より見た図である。
【００４３】
また、以下の説明に於いて、カメラの通常の使用状態、すなわち通常の撮影時に撮影者がカメラを構えた場合のカメラの状態を横位置として、ボディユニット３０の長手方向を視野範囲の長手方向と一致させて水平方向としている。
【００４４】
ファインダ光学系は、レンズユニット１０内の撮影レンズ１１を通過した被写体からの光束をアイピース３３へと導くための複数のミラー、すなわち第１ミラーとしてのクイックリターンミラー３１と、第２ミラー７３と、第３ミラー７４と、第４ミラー７５と、ハーフミラー７１と、スクリーン７２とを有して構成される。
【００４５】
上記撮影レンズ１１を通過した被写体からの光束は、図示矢印Ａ方向に回動可能な第１の反射面としてのクイックリターンミラー３１に至る。このクイックリターンミラー３１は、被写体観察時は図３及び図４に実線で示されるように、撮影レンズ１１とＣＣＤユニット４０との間であって、撮影レンズ１１の撮影光路内に配置される。そして、撮像時は、クイックリターンミラー３１はミラー駆動機構５４によって、図４に二点鎖線で示される位置に移動、すなわち撮影光路より退避されて、被写体からの光束が、シャッタ３７、光学ローパスフィルタ３８を介してＣＣＤユニット４０に導かれるようになっている。尚、３９はＣＣＤユニット４０と光学ローパスフィルタ３８との間を封止するためのシール部材である。
【００４６】
被写体観察時、第１の反射部材であるクイックリターンミラー（第１の反射面）３１にて、撮影レンズ１０から入射した被写体光束は、撮影レンズ１０の光軸に対し略９０°の角度であって、ボディユニット３０の長手方向に沿う方向に反射される。つまり、図３に於いて右方向に反射される。
【００４７】
クイックリターンミラー３１の第１反射面にて反射された光束は、該第１反射面の反射光軸上であって、この反射光軸に対し所定の角度だけ傾いて配置されるハーフミラー７１に入射する。そして、クイックリターンミラー３１からの反射光束の一部は、このハーフミラー７１により上記第１反射面の反射光軸とは異なる方向であって、上記第１反射面側に向けて反射される。つまり、クイックリターンミラー３１からの反射光束の一部は、図３に於いて、ボディユニット３０の左斜め下方向に向けてハーフミラー７１により反射される。一方、上記クイックリターンミラー３１からの反射光束の他の一部は、ハーフミラー７１を透過し、後述するスクリーン７２を経て、第２ミラー７３に入射する。
【００４８】
第２の反射部材（第２の反射面）である上記第２ミラー７３は、上記クイックリターンミラー３１からの反射光軸上であって、その反射面である第２の反射面が上記第１の反射面からの反射光軸に対し、所定の角度だけ傾いて配置されている。そして、第２ミラー７３に入射した上記クイックリターンミラー３１からの反射光束は、上記クイックリターンミラー３１からの反射光軸に対し略９０°の角度であって、上記ハーフミラー７１による反射方向とは、上記クイックリターンミラー３１からの反射光軸を挟んで反対側に向けて反射される。つまり、クリックリターンミラー３１の第１反射面からの反射光束は、第２ミラー７３の第２の反射面にて、図３に於いてボディユニット３０の上方に向けて反射される。
【００４９】
上記第２ミラー７３の第２の反射面で反射された光束は、第２の反射面の反射光軸上であって、その反射面である第３の反射面が、上記第２の反射面の反射光軸に対し所定の角度だけ傾いて配置される第３ミラー７４に入射する。
【００５０】
第３の反射部材（第３の反射面）である第３ミラー７４に入射した上記第２ミラー７３からの反射光束は、第３ミラー７４の第３の反射面にて、上記第２の反射面からの反射光軸に対し略９０°の角度であって、上記クイックリターンミラー３１の第１の反射面による反射方向と相反する方向に反射される。つまり、第２ミラー７３の第２の反射面からの反射光束は、第３ミラー７４の第３の反射面にて、図３に於いてボディユニット３０の左方向に向けて反射する。換言すれば、クイックリターンミラー３１の第１の反射面にて反射された光束は、第２、第３ミラー７３、７４によって折り返すように導かれ、第３ミラー７４の第３の反射面の反射光軸は、上記クイックリターンミラー３１の第１の反射面の反射光軸と略平行となって第４ミラー７５に向かう。
【００５１】
上記第３ミラー７４の第３の反射面で反射された光束は、該第３の反射面の反射光軸上であって、その反射面である第４の反射部材（第４の反射面）が上記第３ミラー７４の第３の反射面の反射光軸に対し所定の角度だけ傾いて配置される第４ミラー７５に入射する。この第４ミラー７５は、図４に於いて図示矢印Ｂ方向に回動可能な第４の反射面であり、被写体観察時は実線で示される位置に移動される。この第４ミラー７５の駆動機構については後述する。
【００５２】
そして、第４の反射面である第４ミラー７５に入射した上記第３ミラー７４からの反射光束は、第４ミラー７５の第４の反射面にて、上記第３ミラー７４からの反射光軸に対し略９０°の角度に反射される。つまり、第３ミラー７４の第３反射面からの反射光束は、第４の反射面の反射光軸上に配置されたアイピース３３に入射する。
【００５３】
このように、撮影レンズ１１からの被写体光束は、上述した第１乃至第４の反射面によって、その像が正立正像となるように反転されてアイピース３３に導かれる。これにより、アイピース３３を通して、撮影者の眼でスクリーン７２上に結像した被写体像が観察可能となる。
【００５４】
一方、撮影時は、クイックリターンミラー３１はミラー駆動機構５４によって、図４に二点鎖線で示される位置に移動、すなわち撮影光路より退避される。これによって、被写体からの光束は、シャッタ３７、光学ローパスフィルタ３８を介してＣＣＤユニット４０に導かれる。
【００５５】
ここで、図５乃至図７を参照して、上述した第４ミラー７５の駆動機構について説明する。
【００５６】
図５及び図６は第４ミラー７５の駆動機構を示す斜視図で、図５は被写体観察時のアイピースシャッタを開いた状態を示した図、図６はアイピースシャッタを閉じた状態を示した図である。また、図７は第１の実施形態に於ける遮光検出スイッチの操作レバーを示した図である。
【００５７】
第４ミラー７５は、アイピース３３が取り付けられているアイピース枠８１の近傍の回転軸８２に回動可能（図４に於いて矢印Ｂ方向）に取り付けられている。この回転軸８２にはバネ（トグルバネ）８３が巻回されており、その一端部がアイピース枠８１上の所定の位置に設けられたバネ止めピン８５に当てつけられ、他端部が回転軸８２に設けられたバネ止めピン８６に引っ掛けられている。
【００５８】
また、アイピース枠８１の開口８１ｂ近傍には、第４ミラー７５の開閉状態を検出する遮光検出スイッチ８０が設けられている。この遮光検出スイッチ８０は、検出部８０ａが突起状に設けられている。図６に示されるように、第４ミラー７５によって遮光検出スイッチ８０の検出部８０ａが押し込まれることにより、第４ミラー７５が閉じられたことが検出される。すなわち、第４ミラー７５が遮光位置に位置したことが検出される。そして、検出部８０ａが開放されると、第４ミラー７５が開いた状態となることがわかる。すなわち、第４ミラー７５が被写体観察可能な位置に位置したことが検出される。
【００５９】
上記バネ８３は、開く方向に付勢されているもので、通常は、図５に示されるように、第４ミラー７５がストッパ８７に当てついた状態となる。このとき、第２ミラー７３、第３ミラー７４から導かれた光束は、第４ミラー７５で反射されてアイピース３３に至る。この状態が被写体の観察時である。
【００６０】
尚、上記ストッパ８７は、クイックリターンミラー３１等が収納されている、図示されないミラーボックスの上部等に固設されている。
【００６１】
また、回転軸８２の上面に設けられている突起部８８は、図示されない係合部材を介して、図７に示される操作レバー９０と連動している。すなわち、この操作レバー９０が図示矢印Ｃ方向に操作されることにより、その操作方向に連動して回転軸８２が回転し、図４に示される矢印Ｂ方向に第４ミラー７５が回転する。図７に於いては、操作レバー９０は、実線で示される位置がアイピースシャッタの開いた状態、二点鎖線で示される位置が閉じた状態である。
【００６２】
その結果、図６に示されるように、第４ミラー７５がアイピース枠８１に当接した状態が、リモコン時若しくはセルフタイマ撮影時の状態となる。このとき、アイピース３３からの逆入射光は、第４ミラー７５によってアイピース枠８１内で遮られることにより、カメラボディ３０に入射することがない。加えて、遮光検出スイッチ８０によってアイピース３３が遮光されたことが、Ｂμｃｏｍ５０に伝達される。
【００６３】
尚、操作レバー９０は、周知のロック機構が設けられるものであってもよいし、また掛止部が設けられるものであってもよい。そして、この操作レバー９０と回転軸８２とは、例えばバネ係合されたオーバチャージ機構を有して構成されたものであってもよいし、或いは直結された構成であってもよい。
【００６４】
尚、本実施形態では、図３及び図４に示されるように、クイックリターンミラー３１、第２ミラー７３、第３ミラー７４及び第４ミラー７５は、入射光束に対して略９０°の角度で反射するように配置しているが、これに限られるものではない。
【００６５】
光路分割素子を構成する上記ハーフミラー７１は、上記クイックリターンミラー３１の第１の反射面の反射光軸上であって、上記スクリーン７２よりも第１の反射面側、すなわちクイックリターンミラー３１側に配置される。そして、ハーフミラー７１はＡＦ用の第１の反射面を有しており、ここで透過されずに反射された一部の光束は、ＡＦセンサユニット３５へ導かれる。このＡＦセンサユニット３５内の図示されないＡＦセンサからの出力が、ＡＦセンサ駆動回路５５を介してＢμｃｏｍ５０へ送信されて、周知の測距処理が行われる。
【００６６】
上記スクリーン７２は、このファインダ光学系に入射された光束を光学像として結像させるために、該光束を拡散させる拡散面を有するもので、ＣＣＤユニット４０の撮像面上と光学的に等価な位置に配置されている。撮影者は、アイピース３３からこのスクリーン７２上に結像された像を見て、撮影画面を確認することができる。
【００６７】
また、上述した第２ミラー７３の第２の反射面で反射された光束は測光センサ５２に至り、これにより、測光センサ５２にて被写体の明るさが測定される。
【００６８】
また、クイックリターンミラー３１が撮影光束より退避した退避位置をとり、且つ遮光手段である第４ミラー７５が遮光位置にあると、クイックリターンミラー３１から先の、被写体光束が進む後方は、アイピース枠８１の開口８１ｂまではカメラ本体として暗箱内に、更にもう１つの暗箱である副暗箱１００が形成される。この状態に於いて、この副暗箱１００に外部からの光は入射できず完全な光遮断状態となり、結果的にこの副暗箱１００の内部に配置されているＡＦセンサユニット３５のＡＦセンサは、外部からの光を受けることができず暗電流のみを出力することになる。
【００６９】
次に、このように構成されたカメラシステムの各部の動作について説明する。
【００７０】
先ず、画像処理コントローラ４６により、Ｂμｃｏｍ５０の指令に従ってＣＣＤインターフェース回路４１が制御されて、ＣＣＤユニット４０から画像データが取り込まれる。この画像データは画像処理コントローラ４６でビデオ信号に変換され、液晶モニタ４５にて出力表示される。撮影者は、この液晶モニタ４５の表示画像から、撮影した画像イメージを確認することができる。
【００７１】
また、上記画像データは、一時保管用メモリであるＳＤＲＡＭ４２に取り込まれる。このＳＤＲＡＭ４２は、画像データが変換される際のワークエリア等に使用される。また、この画像データは、ＪＰＥＧデータに変換された後には、記録メディア４４に保管されるように設定されている。
【００７２】
ミラー駆動機構５４は、上述したように、クイックリターンミラー３１を撮像時の退避位置と観察時の観察位置へ駆動するための機構である。ミラー駆動機構５４によってクイックリターンミラー３１が観察位置にあるとき、撮影レンズ１１からの光束は、ＡＦセンサユニット３５側と第２乃至第４ミラー７３〜７５側へと分割されて導かれる。
【００７３】
ＡＦセンサユニット３５内のＡＦセンサからの出力は、ＡＦセンサ駆動回路５５を介してＢμｃｏｍ５０へ送信されて、周知の測距処理が行われる。更に、スクリーン７２の結像光束の一部は第２ミラー７３で反射されて測光センサ５２へ導かれる。ここで検知された光量に基づいて、測光回路５２にて周知の測光処理が行われる。
【００７４】
シャッタ駆動制御回路５７では、Ｂμｃｏｍ５０からシャッタを駆動制御するための信号が受取られると、その信号に基づいてシャッタ３７が制御される。それと共に、シャッタ駆動制御回路５７から、所定のタイミングでＢμｃｏｍ５０にストロボを発光させるためのストロボ同調信号が出力される。そして、Ｂμｃｏｍ５０からは、このストロボ同調信号に基づいて、ストロボ制御回路６１を介してストロボ装置６２を発光させる発光指令信号が出力される。
【００７５】
また、上記シャッタ３７が制御されるのと同じくして、ミラー駆動機構５４によってクイックリターンミラー３１の動作が制御される。
【００７６】
次に、図８のフローチャートを参照して、このカメラに於けるＡＦセンサの調整動作について説明する。
【００７７】
先ず、ステップＳ１に於いて、遮光検出スイッチ８０の状態が判定される。ここで、遮光検出スイッチ８０がオフの場合は、後述するステップＳ１０へ移行する。一方、遮光検出スイッチがオンの場合は、第４ミラー７５によってアイピース３０が閉じられて外部光が遮光された状態となる。この場合は、ステップＳ２に移行してクイックリターンミラー３１が撮像時の退避位置へ移動される。次いで、ステップＳ３にて、ＡＦセンサユニット３５による積分動作が行われる。更に、ステップＳ４にて、上記ステップＳ３で得られた積分データが読み込まれる。ここで、アイピース３３側からの外部光が遮光されているので、このときの積分データは暗電流のデータである。
【００７８】
そして、ステップＳ５に於いて、ＡＦセンサの全てのセルについて暗電流が所定範囲内であるか否かが判定される。ここで、全てのＡＦセンサのデータが所定範囲内にある場合は、ステップＳ６に移行して各セルのデータがＡＦセンサの暗電流補正値として、不揮発性メモリ５８等に記憶される。この後、ステップＳ７に移行してクイックリターンミラー３１が退避位置から観察位置に移動される。そして、ステップＳ８にて暗電流の調整が終了したことが液晶モニタ４５に表示される。その後、本ルーチンが終了する。
【００７９】
一方、上記ステップＳ５６いて、上記全セルのデータが所定範囲内でない場合は、光漏れが発生しているか、ＡＦセンサに異常が発生していることが考えられる。したがって、ステップＳ９に移行して、クイックリターンミラー３１が撮影光路内に移動された後、ステップＳ１０にて調整できない旨のエラー表示が液晶モニタ４５に表示される。その後、本ルーチンが終了する。
【００８０】
このように、第１の実施形態によれば、ユーザが操作レバー９０を操作することによって第４ミラー７５を閉じてアイピース３３からの外部光の進入を防止して、暗電流の補正を行うことができる。
【００８１】
（第２の実施形態）
上述した第１の実施形態では、ユーザが操作レバー９０を操作することによって暗電流の補正を行っていたが、本第２の実施形態では、カメラのセルフモード若しくはリモコンモードの操作時に暗電流の補正を行うようにしている。
【００８２】
以下、本発明の第２の実施形態について説明する。
【００８３】
図９は、本発明の第２の実施形態に係るカメラのシステム構成を示すブロック図である。
【００８４】
尚、第２の実施形態に於けるカメラの構成及び基本的な動作については、図１乃至図８に示される第１の実施形態のカメラの構成及び動作と同じであるので、同一の部分には同一の参照番号を付して、その図示及び説明を省略し、異なる部分についてのみ説明する。
【００８５】
図９に於いて、ボディユニット３０′内には、Ｂμｃｏｍ５０に接続されたリモコン受光部９８が設けられている。リモコン受光部９８は、図示されないリモコンからの信号を受けて、Ｂμｃｏｍ５０にその旨を伝達するためのものである。また、第４ミラー７５は、アクチュエータ９５及びドライバ９６を介して、Ｂμｃｏｍ５０に接続されている。Ｂμｃｏｍ５０からの指示により、ドライバ９６を介してアクチュエータ９５が駆動されることにより、第４ミラー７５が開閉するようになっている。
【００８６】
次に、図１０乃至図１２のフローチャートを参照して、本発明の第２の実施形態に従ったカメラの動作について説明する。
【００８７】
先ず、ステップＳ２１にてＢμｃｏｍ５０の初期設定が行われると、続くステップＳ２２及びＳ２３に於いてパワースイッチレバー３の状態が判定される。すなわち、ステップＳ２２にてパワースイッチレバー３の状態に変化がなければ、後述するステップＳ２７へ移行する。一方、上記ステップＳ２２にてパワースイッチレバー３の状態が変化したならば、ステップＳ２３に移行して、その状態変化について判定される。ここで、パワースイッチレバー３がオフからオンに切り替わったならばステップＳ２４に移行し、オンからオフに切り替わったならばステップＳ２５に移行する。ステップＳ２４では、サブルーチン「パワーオン処理」が実行される。
【００８８】
図１３は、サブルーチン「パワーオン処理」の動作を説明するフローチャートである。
【００８９】
本サブルーチンに入って、先ずステップＳ７１に於いて、観察光路から退避位置に移動される。次いで、ステップＳ７２にて、第４ミラー７５が閉じられる。そして、ステップＳ７３に於いて、遮光検出スイッチ８０の状態が判定される。ここで、遮光検出スイッチ８０がオフの場合は、後述するステップＳ７７へ移行する。一方、遮光検出スイッチ８０がオンの場合は、第４ミラー７５によってアイピース３０が閉じられて外部光が遮光された状態となり、ステップＳ７４へ移行する。
【００９０】
ステップＳ７４では、ＡＦセンサユニット３５による積分動作が行われる。更に、ステップＳ７５にて、上記ステップＳ７４で得られた積分データが記憶される。この記憶された積分データは暗電流のデータである。次いで、ステップＳ７６にて第４ミラー７５が開かれる。その後、ステップＳ７７にてクイックリターンミラー３１が撮影光路内に復帰されると、本ルーチンを抜けて図１０のフローチャートのステップＳ２７へ移行する。
【００９１】
一方、上記ステップＳ２５では、パワースイッチレバー３のパワーオフ処理が行われた後、ステップＳ２６にて第４ミラー７５が閉じられる。その後、ステップＳ２７へ移行する。
【００９２】
ステップＳ２７に於いては、再度パワースイッチレバー３の状態が判定される。ここで、パワースイッチレバー３がオフ状態であれば上記ステップＳ２２に移行して、上述した処理が繰り返される。一方、パワースイッチレバー３がオン状態であれば、ステップＳ２８に移行してモードダイヤル２の状態が検出される。続いて、ステップＳ２９にて、上記ステップＳ２８で検出されたモードの処理が行われる。
【００９３】
次に、ステップＳ３０にて、リモコンモードであるか否かが判定される。ここで、リモコンモードである場合は、ステップＳ３１に移行して、図示されないリモコン受信回路が作動される。一方、リモコンモード以外の場合は、ステップＳ３２に移行する。この場合、上記リモコン受信回路は動作されない。
【００９４】
そして、ステップＳ３３に於いて、レリーズ釦５が半押し、ファーストレリーズスイッチがオンされたか否かが判定される。ここで、レリーズ釦５が押されていない場合は、上記ステップＳ２２に移行する。一方、レリーズ釦５が半押しされたならば、ステップＳ３４に移行して測光処理がなされる。続いて、ステップＳ３５にてＡＦ積分が開始され、ステップＳ３６にて積分が終了するまで行われる。
【００９５】
ステップＳ３７では、ＡＦセンサのデータが読み出される。そして、ステップＳ３８にて、上記ステップＳ３７で読み出されたセンサデータと、記憶された補正値とで演算がなされる。更に、ステップＳ３９ではデフォーカス量が演算されると共に、レンズの駆動量が演算される。
【００９６】
次いで、ステップＳ４０に於いて、上記ステップＳ３９で演算されたデフォーカス量若しくはレンズの駆動量が、所定の範囲内であるか否かが判定される。その結果、所定の範囲内であれば、ステップＳ４１に移行して合焦表示がなされる。一方、上記ステップＳ４０にて所定の範囲を超える場合は、ステップＳ４２に移行して非合焦表示となる。そして、ステップＳ４３に於いて、合焦状態であるか否かが検出される。ここで、合焦状態でない場合は、ステップＳ４４に移行して撮影レンズ１１が駆動された後、上記ステップＳ３４に移行して上述した処理が繰り返される。上記ステップＳ４３にて合焦であると判定された場合は、ステップＳ４５にてレリーズ釦５が全押しされたか否かが判定される。ここで、レリーズ釦５が全押しされていない場合は、上記ステップＳ３２に移行して以降の処理が繰り返される。一方、レリーズ釦５が全押しされたならば、ステップＳ４６へ移行する。
【００９７】
ステップＳ４６では、セルフモードであるか否かが判定される。ここで、セルフモードであれば、ステップＳ４７に移行してセルフタイマの処理が行われる。一方、セルフモードでない場合は、ステップＳ４７はスキップされる。次に、ステップＳ４８にて、クイックリターンミラー３１が退避位置に移動される。そして、ステップＳ４９に於いて、再度セルフモードであるか否かが判定される。その結果、セルフモードでない場合は後述するステップＳ５７へ移行する。一方、上記ステップＳ４９に於いて、セルフモードが選択されている場合は、ステップＳ５０に移行して第４ミラー７５が閉じられる。
【００９８】
次いで、ステップＳ５１に於いて、第４ミラー７５の閉動作に伴い、遮光検出スイッチ８０の状態が検出される。ここで、遮光検出スイッチ８０がオンされていれば、ステップＳ５２に移行してＡＦセンサの積分が開始される。そして、ステップＳ５３にて積分が終了すると、続くステップＳ５４にて積分データ、すなわち暗電流のデータが読み出される。ステップＳ５５では、このデータが補正値として記憶される。一方、上記ステップＳ５１にて遮光検出スイッチがオフであった場合は、ステップＳ５６に移行して液晶モニタ４５に異常表示がなされる。
【００９９】
その後、ステップＳ５７にて周知の撮像処理が行われ、続くステップＳ５８にてクイックリターンミラー３１が観察光路内に復帰される。そして、ステップＳ５９にてシャッタチャージが行われる。更に、ステップＳ６０では、セルフモードであるか否かが判定され、セルフモードであった場合はステップＳ６１に移行して上記ステップＳ５０で閉じられていた第４ミラー７５が開かれる。次いで、ステップＳ６２にて上記ステップＳ５７で取得された撮像データが転送されて、ステップＳ６３にて記録メディア４４に記録される。その後、上記ステップＳ２２へ移行する。
【０１００】
次に、図１４のフローチャートを参照して、リモコン割込み処理の動作につて説明する。  
上述した図１０乃至図１２のフローチャートのステップＳ３１にてリモコン受信回路が作動すると、リモコンによる操作が割込み処理によって開始される。
【０１０１】
本ルーチンに入って、先ずステップＳ８１に於いてリモコン受信がなされたか否かが判定される。ここで、受信されない場合は上述した図１０乃至１２のフローチャートのステップＳ２２へ移行する。一方、リモコン受信された場合は、ステップＳ８２へ移行して第４ミラー７５が閉じられる。そして、続くステップＳ８３にて遮光検出スイッチ８０の状態が判定される。その結果、遮光検出スイッチがオンされていなければ、ステップＳ８４に移行して警告表示がなされる。上記ステップＳ８３に遮光検出スイッチ８０がオンされていれば、ステップＳ８５に移行して測光動作が行われる。
【０１０２】
次いで、ステップＳ８６にて合焦動作が行われると、ステップＳ８７に於いて合焦したか否かが判定される。ここで、合焦していない場合は、上記ステップＳ８５に移行して上述した処理動作が繰り返される。一方、上記ステップＳ８７にて合焦している場合は、ステップＳ８８に移行して、クイックリターンミラー３１が退避位置に移動される。そして、ステップＳ８９に於いて、遮光検出スイッチ８０の状態が検出される。ここで、遮光検出スイッチ８０がオンされていれば、ステップＳ９０に移行してＡＦセンサの積分が開始される。そして、ステップＳ９２にて積分が終了すると、続くステップＳ９３にて積分データ、すなわち暗電流のデータが読み出される。ステップＳ９４では、このデータが補正値として記憶される。一方、上記ステップＳ８９にて遮光検出スイッチがオフであった場合は、ステップＳ９１に移行して液晶モニタ４５に異常表示がなされる。
【０１０３】
その後、ステップＳ９５にて周知の撮像処理が行われ、続くステップＳ９６にてクイックリターンミラー３１が観察光路内に復帰される。そして、ステップＳ９７にてシャッタチャージが行われる。更に、ステップＳ９８では、上記ステップＳ９５で取得された撮像データが転送されて、ステップＳ９９にて記録メディア４４に記録される。その後、ステップＳ１００にて第４ミラーの開動作が行われた後、上記ステップＳ２２へ移行する。
【０１０４】
このように、第２の実施形態によれば、ユーザが暗電流補正用の操作を行わなくとも、カメラのセルフモード若しくはリモコンモードを操作すれば暗電流の補正を行うことができる。
【０１０５】
以上、本発明の実施形態について説明したが、本発明は上述した実施形態以外にも、本発明の要旨を逸脱しない範囲で種々の変形実施が可能である。
【図面の簡単な説明】
【０１０６】
【図１】本発明の第１の実施形態を示すもので、本発明の撮像装置が適用された一眼レフカメラの構成を示す外観斜視図である。
【図２】本発明の第１の実施形態に係るカメラのシステム構成を示すブロック図である。
【図３】第１の実施形態に於いてファインダ観察状態であってファインダ光学系及び閃光発光装置の主要構成部材をカメラボディに組み込んだ状態の配置を示したもので、撮影レンズ側から見た正面図である。
【図４】第１の実施形態に於いてファインダ観察状態であってファインダ光学系及び閃光発光装置の主要構成部材をカメラボディに組み込んだ状態の配置を示したもので、カメラボディの上面側より見た図である。
【図５】第４ミラー７５の駆動機構を示す斜視図であって、被写体観察時のアイピースシャッタを開いた状態を示した図である。
【図６】第４ミラー７５の駆動機構を示す斜視図であって、アイピースシャッタを閉じた状態を示した図である。
【図７】第１の実施形態に於ける遮光検出スイッチの操作レバーを示した図である。
【図８】第１の実施形態に於けるカメラのＡＦセンサの調整動作について説明するフローチャートである。
【図９】本発明の第２の実施形態に係るカメラのシステム構成を示すブロック図である。
【図１０】本発明の第２の実施形態に従ったカメラの動作について説明するフローチャートである。
【図１１】本発明の第２の実施形態に従ったカメラの動作について説明するフローチャートである。
【図１２】本発明の第２の実施形態に従ったカメラの動作について説明するフローチャートである。
【図１３】図１０乃至図１２のフローチャートのステップＳ２４に於けるサブルーチン「パワーオン処理」の動作を説明するフローチャートである。
【図１４】リモコン割込み処理の動作につて説明するフローチャートである。
【符号の説明】
【０１０７】
１…一眼レフカメラ（カメラ）、２…モードダイヤル、３…パワースイッチレバー、５…レリーズ釦、１０…レンズユニット、１１…撮影レンズ、１２…絞り、１３…レンズ駆動機構、１４…絞り駆動機構、１５…レンズ制御用マイクロコンピュータ（Ｌμｃｏｍ）、２０…通信コネクタ、３０…ボディユニット、３１…クイックリターンミラー（第１ミラー）、３３…接眼レンズ（アイピース）、３５…ＡＦセンサユニット、３７…シャッタ、３８…光学ローパスフィルタ、４０…ＣＣＤユニット、４１…ＣＣＤインターフェース回路、４５…液晶モニタ、４６…画像処理コントローラ、５０…ボディ制御用マイクロコンピュータ（Ｂμｃｏｍ）、５１…測光回路、５２…測光センサ、５４…ミラー駆動機構、５５…ＡＦセンサ駆動回路、５６…シャッタチャージ機構、５７…シャッタ制御回路、５８…不揮発性メモリ（ＥＥＰＲＯＭ）、６２…ストロボ装置、６３…動作表示用ＬＣＤ、６４…カメラ操作スイッチ（ＳＷ）、６５…電源回路、７１…ハーフミラー、７２…スクリーン、７３…第２ミラー、７４…第３ミラー、７５…第４ミラー、８０…遮光検出スイッチ、８０ａ…検出部、８１…アイピース枠、８２…回転軸、８３…バネ（トグルバネ）、９０…操作レバー。
【図１】
2006343489.tif 000003
【図２】
2006343489.tif 000004
【図３】
2006343489.tif 000005
【図４】
2006343489.tif 000006
【図５】
2006343489.tif 000007
【図６】
2006343489.tif 000008
【図７】
2006343489.tif 000009
【図８】
2006343489.tif 000010
【図９】
2006343489.tif 000011
【図１０】
2006343489.tif 000012
【図１１】
2006343489.tif 000013
【図１２】
2006343489.tif 000014
【図１３】
2006343489.tif 000015
【図１４】
2006343489.tif 000016